(57)【特許請求の範囲】
【請求項１】
印刷領域に位置する媒体に印刷を行う印刷部と、
前記印刷部を収容し、前記印刷領域を覆う筐体部と、
前記媒体を支持可能であり、前記筐体部の外側の位置を少なくとも含み前記媒体をセットするセット位置と、前記印刷領域と、を移動経路に含むように移動可能な支持部と、
前記筐体部に対して前記セット位置側に突出し、前記支持部の移動経路の少なくとも一部を覆うように設けられるカバー部と、
を備え、
前記カバー部は、前記セット位置に位置する前記支持部の少なくとも一部を覆うクローズ位置と、該セット位置に位置する該支持部を該クローズ位置よりも露出させるオープン位置と、に変位可能であり、
前記クローズ位置に位置する前記カバー部は、前記セット位置に位置する前記支持部の上方と、前記印刷部が走査する走査方向の側方と、を覆い、
前記オープン位置に位置する前記カバー部は、前記セット位置に位置する前記支持部の上方と前記走査方向の側方と、を前記クローズ位置に位置する前記カバー部よりも露出させ、
前記カバー部は、前記走査方向に沿って延びる回動軸を基準に回動することによって、前記クローズ位置と前記オープン位置とに変位可能であることを特徴とする印刷装置。
【請求項２】
請求項１に記載の印刷装置において、
前記セット位置は、該セット位置に位置する前記支持部の少なくとも一部が前記オープン位置にある前記カバー部に覆われる位置であることを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置のうち、媒体を支持
して筐体部の内部を移動可能な支持部を備える印刷装置がある。  
例えば、特許文献１には、媒体としての被捺染材を支持部としてのセットトレイで支持
させて、筐体部の外部の媒体のセット位置から筐体部の内部の印刷領域まで、セットトレ
イを移動可能な印刷装置（インクジェット捺染装置）が開示されている。
【先行技術文献】
【特許文献】
【０００３】
【特許文献１】特開２０１３−２２６６５７号公報
【発明の概要】
【発明が解決しようとする課題】
【０００４】
しかしながら、特許文献１で開示されるような、筐体部の外部の媒体のセット位置から
筐体部の内部の印刷領域まで支持部を移動可能な従来の印刷装置においては、支持部の移
動経路における筐体部の開口部から該筐体部の内側に異物が侵入する虞があった。
【０００５】
そこで、本発明の目的は、筐体部の内側に異物が侵入することを抑制することを目的に
する。
【課題を解決するための手段】
【０００６】
上記課題を解決するための本発明の第１の態様の印刷装置は、印刷領域に位置する媒体
に印刷を行う印刷部と、前記印刷部を収容し、前記印刷領域を覆う筐体部と、前記媒体を
支持可能であり、前記筐体部の外側の位置を少なくとも含み前記媒体をセットするセット
位置と、前記印刷領域と、を移動経路に含むように移動可能な支持部と、前記筐体部に対
して前記セット位置側に突出し、前記支持部の移動経路の少なくとも一部を覆うように設
けられるカバー部と、を備えることを特徴とする。
【０００７】
本態様によれば、筐体部に対してセット位置側に突出し、支持部の移動経路の少なくと
も一部を覆うように設けられるカバー部を備える。このため、該カバー部によって、支持
部の移動経路における筐体部の開口部から該筐体部の内側に異物が侵入することを抑制す
ることができる。
【０００８】
本発明の第２の態様の印刷装置は、前記第１の態様において、前記セット位置は、該セ
ット位置に位置する前記支持部の少なくとも一部が前記カバー部に覆われる位置であるこ
とを特徴とする。
【０００９】
本態様によれば、セット位置は、該セット位置に位置する支持部の少なくとも一部がカ
バー部に覆われる位置である。すなわち、セット位置を筐体部から大きく離れていない位
置に設けることが可能（支持部の移動経路を短くすることが可能）になるので、印刷装置
が大型化することを抑制することができる。
【００１０】
本発明の第３の態様の印刷装置は、前記第１又は第２の態様において、前記カバー部は
、前記セット位置に位置する前記支持部の少なくとも一部を覆うクローズ位置と、該セッ
ト位置に位置する該支持部を該クローズ位置よりも露出させるオープン位置と、に変位可
能であることを特徴とする。
【００１１】
本態様によれば、前記カバー部は、クローズ位置とオープン位置とに変位可能である。
このため、印刷装置が大型化することを抑制しつつ、媒体をセットする際の作業性が低下
することを抑制することができる。
【００１２】
本発明の第４の態様の印刷装置は、前記第３の態様において、前記カバー部は、スライ
ドすることによって、前記クローズ位置と前記オープン位置とに変位可能であることを特
徴とする。
【００１３】
本態様によれば、カバー部は、スライドすることによって、クローズ位置とオープン位
置とに変位可能である。このため、例えばカバー部をスライド移動させることでオープン
位置において該カバー部を筐体内部に進入させることができ、該カバー部が印刷装置の操
作を行う際の邪魔になるのを抑制できる。
【００１４】
本発明の第５の態様の印刷装置は、前記第３の態様において、前記カバー部は、回動す
ることによって、前記クローズ位置と前記オープン位置とに変位可能であることを特徴と
する。
【００１５】
本態様によれば、カバー部は、回動することによって、クローズ位置とオープン位置と
に変位可能である。このような構成とすることで、カバー部を好適に変位させることがで
きる。
【００１６】
本発明の第６の態様の印刷装置は、前記第３の態様において、前記カバー部は、筐体部
と共に変位することによって、前記クローズ位置と前記オープン位置とに変位可能である
ことを特徴とする。
【００１７】
本態様によれば、カバー部は、筐体部と共に変位することによって、クローズ位置とオ
ープン位置とに変位可能である。このため、カバー部と筐体部との変位を同時に実行でき
、カバー部及び筐体部の開閉作業の簡略化、これらの開閉機構の簡略化が可能になる。
【００１８】
本発明の第７の態様の印刷装置は、前記第３の態様において、前記カバー部は、着脱さ
れることによって、前記クローズ位置と前記オープン位置とに変位可能であることを特徴
とする。
【００１９】
本態様によれば、カバー部は、着脱されることによって、クローズ位置とオープン位置
とに変位可能である。このような構成とすることで、カバー部を好適に変位させることが
できる。
【図面の簡単な説明】
【００２０】
【図１】本発明の実施例１に係る印刷装置の概略斜視図。
【図２】本発明の実施例１に係る印刷装置の概略斜視図。
【図３】本発明の実施例１に係る印刷装置の概略正面図。
【図４】本発明の実施例１に係る印刷装置の概略側面図。
【図５】本発明の実施例１に係る印刷装置のブロック図。
【図６】本発明の実施例１に係る印刷装置の概略斜視図。
【図７】本発明の実施例２に係る印刷装置の概略斜視図。
【図８】本発明の実施例３に係る印刷装置の概略斜視図。
【図９】本発明の実施例４に係る印刷装置の概略斜視図。
【図１０】本発明の実施例５に係る印刷装置の概略斜視図。
【図１１】本発明の実施例６に係る印刷装置の概略斜視図。
【図１２】本発明の実施例７に係る印刷装置の概略斜視図。
【図１３】本発明の実施例８に係る印刷装置の概略斜視図。
【図１４】本発明の実施例９に係る印刷装置の概略斜視図。
【発明を実施するための形態】
【００２１】
［実施例１］（図１から図６）  
以下に、本発明の実施例１に係る印刷装置１について、添付図面を参照して詳細に説明
する。  
本実施例の印刷装置１は、筐体部３２に対して媒体のセット位置側に突出し、媒体の支
持部としてのトレイ４の移動経路の少なくとも一部を覆うように設けられるカバー部１０
（図６参照）を備えることを特徴としている。しかしながら、最初に、本実施例の印刷装
置１の概要について説明するため、カバー部１０を省略した状態で説明する。  
図１及び図２は本実施例に係る印刷装置１の概略斜視図であり、このうち図１は本実施
例の印刷装置１の媒体の支持部としてのトレイ４が印刷開始位置にある状態、図２はトレ
イ４が媒体のセット位置にある状態を表している。  
また、図３は本実施例の印刷装置１の概略正面図であり、図４は本実施例の印刷装置１
の概略側面図である。
【００２２】
本実施例の印刷装置１は、媒体をトレイ４の支持面８で支持した状態で移動方向Ａに移
動する媒体支持ユニット２を備えている。媒体支持ユニット２は、媒体の支持部であるト
レイ４を有している。印刷装置１は、トレイ４に支持された媒体を移動方向Ａに搬送する
媒体搬送部３を備えている。移動方向Ａは、方向Ａ１と、方向Ａ１と反対方向の方向Ａ２
と、を含む方向である。また、トレイ４はステージ５に載置されている。トレイ４はステ
ージ５と共に、回転レバー９を回転させることにより、高さ方向Ｃに移動する。なお、図
４で表されるように、回転レバー９は、媒体支持ユニット２のアーム部に設けられている
。また、媒体としては、テキスタイル（織物、布等）、紙、塩化ビニル樹脂など、種々の
素材のものを用いることができる。
【００２３】
また、印刷装置１の本体内部（筐体部３２の内側）にはインクを吐出して媒体に印刷す
ることが可能な印刷ヘッド７が備えられている。そして、本実施例の印刷装置１は、印刷
ヘッド７が設けられたキャリッジ６を移動方向Ａと交差する走査方向Ｂに往復移動させる
ことで、印刷ヘッド７を走査方向Ｂに往復移動させながら、印刷ヘッド７からトレイ４に
支持された媒体にインクを吐出させて所望の画像を形成する。本実施例において、印刷ヘ
ッド７を備えたキャリッジ６は、走査方向Ｂに移動可能であり、印刷領域で媒体に画像を
印刷可能な印刷部（換言すれば、印刷領域に位置する媒体に印刷を行う印刷部）に相当す
る。  
なお、本実施例の印刷装置１は、図１及び図２中の手前側（左下方向）がトレイ４への
媒体のセット位置（図２に対応）である。そして、図１及び図２中の奥側（右上方向）の
印刷開始位置（図１に対応）まで移動方向Ａのうちの方向Ａ１に媒体をセットしたトレイ
４を移動した後、移動方向Ａのうちの方向Ａ２にトレイ４を移動しながら印刷する。
【００２４】
なお、本実施例の印刷装置１は、走査方向Ｂに往復移動しながら印刷する印刷ヘッド７
を備えているが、インクを吐出するノズルを媒体の移動方向と交差する交差方向に複数設
けた所謂ラインヘッドを備える印刷装置でもよい。  
ここで、「ラインヘッド」とは、媒体の移動方向と交差する交差方向に形成されたノズ
ルの領域が、該交差方向全体をカバー可能なように設けられ、印刷ヘッド又は媒体を相対
的に移動させて画像を形成する印刷装置に用いられる印刷ヘッドである。なお、ラインヘ
ッドの該交差方向のノズルの領域は、印刷装置が対応している全ての媒体の該交差方向を
カバー可能でなくてもよい。  
また、本実施例の印刷ヘッド７を備えたキャリッジ６は、媒体にインクを吐出すること
で印刷可能な印刷部であるが、このような印刷部に限定されず、例えば、色材を媒体に転
写して印刷する転写式の印刷部を使用してもよい。
【００２５】
また、本実施例の筐体部３２は、開閉部３３を有し、キャリッジ６にセット可能な不図
示のインクカートリッジを交換する際などにおいて開閉部３３を開け閉めできる構成にな
っている。なお、図１から図４は何れも開閉部３３が閉じた状態を表しており、開閉部３
３は、ユーザーが手動で、走査方向Ｂに延びる回動軸３４を基準に回動方向Ｄに回動する
構成になっている。
【００２６】
次に、本実施例の印刷装置１における電気的な構成について説明する。  
図５は、本実施例の印刷装置１のブロック図である。  
制御部１９には、印刷装置１の全体の制御を司るＣＰＵ２０が設けられている。ＣＰＵ
２０は、システムバス２１を介して、ＣＰＵ２０が実行する各種制御プログラム等を格納
したＲＯＭ２２と、データを一時的に格納可能なＲＡＭ２３と、に接続されている。
【００２７】
また、ＣＰＵ２０は、システムバス２１を介して、印刷ヘッド７を駆動するためのヘッ
ド駆動部２４と接続されている。  
また、ＣＰＵ２０は、システムバス２１を介して、モーター駆動部２５と接続されてい
る。そして、モーター駆動部２５は、印刷ヘッド７が設けられたキャリッジ６を移動させ
るためのキャリッジモーター２６、媒体を搬送する（すなわち、媒体支持ユニット２を移
動する）ために媒体搬送部３に設けられた搬送モーター２７、後述するカバー部１０を移
動させるためのカバー部移動モーター３０、と接続されている。  
さらに、ＣＰＵ２０は、システムバス２１を介して、入出力部２８と接続されている。
そして、入出力部２８は、開閉部３３が開状態（オープン位置にある）か閉状態（クロー
ズ位置にある）かを検出可能なセンサーＳ、印刷データ等のデータ及び信号の送受信を行
うためのＰＣ２９、と接続されている。  
制御部１９は、開閉部３３が開状態であることを検出すると、印刷中などキャリッジ６
が走査方向Ｂに移動している場合、キャリッジ６の移動を停止するよう制御する。
【００２８】
次に、本実施例の要部であるカバー部１０について詳細に説明する。  
ここで、図６は本実施例の印刷装置１の概略斜視図である。このうち、図６Ａはカバー
部１０がクローズ位置にある状態を表しており、図６Ｂはカバー部１０がオープン位置に
ある状態を表している。なお、図６Ａ及び図６Ｂの何れも、図２と同様、トレイ４が媒体
のセット位置にある状態を表している。
【００２９】
上記のように、本実施例の印刷装置１は、印刷領域に位置する媒体に印刷を行うキャリ
ッジ６と、キャリッジ６を収容し印刷領域を覆う筐体部３２と、媒体を支持可能なトレイ
４と、を備えている。ここで、トレイ４は、図２及び図６で表されるように筐体部３２の
外側の位置を少なくとも含み媒体をセットするセット位置と、図１で表される印刷開始位
置を含む印刷領域と、を移動経路に含むように移動可能な構成になっている。  
そして、本実施例の印刷装置１は、図６Ａで表されるように、筐体部３２に対してセッ
ト位置側に突出し、トレイ４の移動経路の少なくとも一部を覆うように設けられるカバー
部１０を備えている。このため、該カバー部１０によって、トレイ４の移動経路における
筐体部３２の開口部３５から該筐体部３２の内側に異物が侵入することを抑制することが
できる構成になっている。
【００３０】
また、図６Ａで表されるように、本実施例の印刷装置１における媒体のセット位置は、
該セット位置に位置するトレイ４の少なくとも一部がカバー部１０に覆われる位置にある
。すなわち、セット位置を筐体部３２から大きく離れていない位置に設けられており、ト
レイ４の移動経路を短くしている。そして、このような構成により、印刷装置１が大型化
することを抑制している。  
なお、「セット位置に位置するトレイ４の少なくとも一部がカバー部１０に覆われる位
置」とは、図６Ａで表されるように、カバー部１０がクローズ位置にある状態においてセ
ット位置に位置するトレイ４の少なくとも一部がカバー部１０に覆われる位置であればよ
い。しかしながら、本実施例の印刷装置１は、図６Ｂで表されるように、カバー部１０が
オープン位置にある状態においても、セット位置に位置するトレイ４の一部がカバー部１
０に覆われている。このため、特に効果的に印刷装置１が大型化することを抑制している
。
【００３１】
また、図６Ａ及び図６Ｂで表されるように、本実施例の印刷装置１のカバー部１０は、
媒体のセット位置に位置するトレイ４の少なくとも一部を覆うクローズ位置（図６Ａ参照
）と、該セット位置に位置する該トレイ４を該クローズ位置よりも露出させるオープン位
置（図６Ｂ参照）と、に変位可能である。このため、印刷装置１が大型化することを抑制
しつつ、媒体をセットする際の作業性が低下することを抑制している。
【００３２】
ここで、本実施例の印刷装置１のカバー部１０は、移動方向Ａに沿ってスライドするこ
とによって筐体部３２の開口部３５に対して進退し、クローズ位置（図６Ａ参照）とオー
プン位置（図６Ｂ参照）とに変位可能な構成である。このような構成により、カバー部１
０をスライド移動させることでオープン位置においてカバー部１０を筐体内部に進入させ
ることができ、カバー部１０が印刷装置１の操作を行う際の邪魔になるのを抑制している
。
【００３３】
なお、本実施例のカバー部１０は、制御部１９の制御によりカバー部移動モーター３０
を駆動させて、印刷動作に対応して自動で、クローズ位置（図６Ａ参照）とオープン位置
（図６Ｂ参照）とに変位可能（スライド移動可能）な構成である。しかしながら、このよ
うな構成に限定されず、クローズ位置とオープン位置とにユーザーが手動で変位可能な構
成としてもよい。
【００３４】
［実施例２］（図７）  
次に、本発明の実施例２に係る印刷装置１について説明する。  
図７は、本実施例の印刷装置１の概略斜視図であり、実施例１の印刷装置１における図
６に対応する図である。  
ここで、本実施例の印刷装置１は、カバー部の構成、その駆動機構の有無及び媒体搬送
部３の大きさ（移動方向Ａに沿う方向の長さ）以外の構成は実施例１の印刷装置１と同様
の構成である。なお、上記実施例１の印刷装置１における構成部材と同じ構成部材は同じ
符号で表している。このため、その詳細な説明は省略する。
【００３５】
実施例１のカバー部１０は、クローズ位置（図６Ａ参照）とオープン位置（図６Ｂ参照
）とに変位可能な構成であった。一方、本実施例のカバー部１１は、筐体部３２に固定さ
れる固定式の構成である。このため、印刷装置１の移動方向Ａに沿う方向の長さは実施例
１の印刷装置１よりも大きくなっている。しかしながら、カバー部１１は固定式なので、
カバー部移動モーター３０などの構成部材を省略することができており、装置構成を簡略
化している。また、図７で表されるように、本実施例の印刷装置１は、トレイ４がセット
位置に位置する際に、該トレイ４の全部がカバー部１０から露出している。このため、特
に効果的に媒体をセットする際の作業性が低下することを抑制可能な構成になっている。
【００３６】
［実施例３］（図８）  
次に、本発明の実施例３に係る印刷装置１について説明する。  
図８は、本実施例の印刷装置１の概略斜視図であり、実施例１の印刷装置１における図
６（特に図６Ｂ）に対応する図である。  
ここで、本実施例の印刷装置１は、カバー部の構成及びその駆動機構以外の構成は実施
例１の印刷装置１と同様の構成である。なお、上記実施例１及び２の印刷装置１における
構成部材と同じ構成部材は同じ符号で表している。このため、その詳細な説明は省略する
。
【００３７】
実施例１のカバー部１０は、筐体部３２に対して移動方向Ａに沿ってスライドすること
によってクローズ位置（図６Ａ参照）とオープン位置（図６Ｂ参照）とに変位可能な構成
であった。一方、本実施例のカバー部１２は、筐体部３２の一部を構成する開閉部３３に
固定されている。このため、本実施例のカバー部１２は、開閉部３３を回動方向Ｄに回動
させることに伴いクローズ位置とオープン位置とに変位する。
【００３８】
すなわち、本実施例のカバー部１２は、筐体部３２の一部を構成する開閉部３３と共に
変位する構成である。つまり、カバー部１２は、筐体部３２と共に変位することによって
、クローズ位置とオープン位置とに変位可能である。このため、カバー部１２と筐体部３
２との変位を同時に実行でき、カバー部１２及び筐体部３２（開閉部３３）の開閉作業の
簡略化、これらの開閉機構の簡略化（カバー部移動モーター３０などの構成部材の省略な
ど）を可能にしている。  
なお、図８において、カバー部１２は、筐体部３２と共に変位することによって、オー
プン位置に変位した状態を表している。
【００３９】
［実施例４から９］（図９から図１４）  
次に、本発明の実施例４から９に係る印刷装置１について説明する。  
図９から図１４は、何れも、これらの実施例の印刷装置１の概略斜視図であり、実施例
１の印刷装置１における図６（特に図６Ｂ）に対応する図である。詳細には、図９は実施
例４の印刷装置１、図１０は実施例５の印刷装置１、図１１は実施例６の印刷装置１、図
１２は実施例７の印刷装置１、図１３は実施例８の印刷装置１、図１４は実施例９の印刷
装置１に対応している。  
ここで、これらの実施例の印刷装置１は、カバー部の構成及びその駆動機構以外の構成
は実施例１の印刷装置１と同様の構成である。ただし、実施例５から９における筐体部３
２については、実施例１から４における筐体部３２と一部形状が異なる（セット位置側の
一部が面取りされていない）が、筐体部３２はこのような形状であってもよい。なお、上
記実施例１から３の印刷装置１における構成部材と同じ構成部材は同じ符号で表している
。このため、その詳細な説明は省略する。
【００４０】
実施例１のカバー部１０は、筐体部３２に対して移動方向Ａに沿ってスライドすること
によってクローズ位置（図６Ａ参照）とオープン位置（図６Ｂ参照）とに変位可能な構成
であった。一方、実施例４から９のカバー部１３から１８は、何れも、筐体部３２に対し
て回動することによってクローズ位置とオープン位置とに変位可能な構成である。
【００４１】
このように、実施例４から９カバー部１３から１８は、何れも、回動することによって
、クローズ位置とオープン位置とに変位可能であり、このような構成とすることで、夫々
、カバー部を好適に変位させることができる構成になっている。  
なお、実施例４から９の印刷装置１においては、何れも、カバー部をユーザーが手動で
開閉可能（クローズ位置とオープン位置とに変位可能）な構成になっている。このため、
カバー部移動モーター３０などの構成部材を省略することができており、装置構成を簡略
化している。しかしながら、このような構成に限定されず、実施例１の印刷装置１のよう
に、自動でカバー部をクローズ位置とオープン位置とに変位可能な構成としてもよい。
【００４２】
以下に、実施例４から９について個別具体的に説明する。  
まず、実施例４の印刷装置１は、図９で表されるように、カバー部１３が走査方向Ｂに
沿って延びる回動軸３１を介して筐体部３２の開閉部３３に接続されている。そして、回
動軸３１を基準にカバー部１３が回動方向Ｅに回動することにより、カバー部１３は高さ
方向Ｃに沿ってクローズ位置とオープン位置とに変位可能な構成になっている。
【００４３】
また、実施例５の印刷装置１は、図１０で表されるように、カバー部１４（カバー部１
４ａ及び１４ｂ）が高さ方向Ｃに沿って延びる回動軸４０（回動軸４０ａ及び４０ｂ）を
介して筐体部３２に接続されている。そして、回動軸４０を基準にカバー部１４が回動方
向Ｆに回動することにより、カバー部１４は高さ方向Ｃと交差する方向に沿ってクローズ
位置とオープン位置とに変位可能な構成になっている。
【００４４】
また、実施例６の印刷装置１は、図１１で表されるように、カバー部１５のうちのカバ
ー部１５ａが走査方向Ｂに沿って延びる回動軸３６のうちの回動軸３６ａを介して筐体部
３２に接続されている。また、カバー部１５のうちのカバー部１５ｂが走査方向Ｂに延び
る回動軸３６のうちの回動軸３６ｂを介してカバー部１５ａに接続されている。そして、
両方の回動軸３６を基準に両方のカバー部１５が回動方向Ｇに回動することにより、カバ
ー部１５は高さ方向Ｃに沿って２段式でクローズ位置とオープン位置とに変位可能な構成
になっている。
【００４５】
また、実施例７の印刷装置１は、図１２で表されるように、カバー部１６（カバー部１
６ａ及び１６ｂ）が移動方向Ａに沿って延びる回動軸３７（回動軸３７ａ及び３７ｂ）を
介して筐体部３２を構成する媒体搬送部３の端部に接続されている。そして、回動軸３７
を基準にカバー部１６が回動方向Ｈに回動することにより、カバー部１６は移動方向Ａと
交差する方向に沿ってクローズ位置とオープン位置とに変位可能な構成になっている。
【００４６】
また、実施例８の印刷装置１は、図１３で表されるように、カバー部１７が移動方向Ａ
に沿って延びる回動軸３８を介して筐体部３２を構成する媒体搬送部３の端部に接続され
ている。そして、回動軸３８を基準にカバー部１７が回動方向Ｉに回動することにより、
カバー部１７は移動方向Ａと交差する方向に沿ってクローズ位置とオープン位置とに変位
可能な構成になっている。
【００４７】
また、実施例９の印刷装置１は、図１４で表されるように、両開き式のドア状のカバー
部１８（カバー部１８ａ及び１８ｂ）が高さ方向Ｃに沿って延びる回動軸３９（回動軸３
９ａ及び３９ｂ）を介して筐体部３２に接続されている。そして、回動軸３９を基準にカ
バー部１８が回動方向Ｊに回動することにより、カバー部１８は高さ方向Ｃと交差する方
向に沿ってクローズ位置とオープン位置とに変位可能な構成になっている。なお、回動軸
３９は、筐体部３２に対してセット位置側にやや突出した部分に形成されている。
【００４８】
なお、本発明は上記実施例に限定されることなく、特許請求の範囲に記載した発明の範
囲内で種々の変形が可能であり、それらも本発明の範囲内に含まれることは言うまでもな
い。  
例えば、カバー部は、印刷装置から着脱されることによって、クローズ位置とオープン
位置とに変位可能であってもよい。このような構成とすることでも、カバー部を好適に変
位させることができる。
【符号の説明】
【００４９】
１…印刷装置、２…媒体支持ユニット、３…媒体搬送部、４…トレイ（支持部）、
５…ステージ、６…キャリッジ（印刷部）、７…印刷ヘッド、８…支持面、
９…回転レバー、１０…カバー部、１１…カバー部、１２…カバー部、
１３…カバー部、１４、１４ａ、１４ｂ…カバー部、
１５、１５ａ、１５ｂ…カバー部、１６、１６ａ、１６ｂ…カバー部、
１７…カバー部、１８、１８ａ、１８ｂ…カバー部、１９…制御部、２０…ＣＰＵ、
２１…システムバス、２２…ＲＯＭ、２３…ＲＡＭ、２４…ヘッド駆動部、
２５…モーター駆動部、２６…キャリッジモーター、２７…搬送モーター、
２８…入出力部、２９…ＰＣ、３０…カバー部移動モーター、３１…回動軸、
３２…筐体部、３３…開閉部、３４…回動軸、３５…開口部、
３６、３６ａ、３６ｂ…回動軸、３７、３７ａ、３７ｂ…回動軸、３８…回動軸、
３９、３９ａ、３９ｂ…回動軸、４０、４０ａ、４０ｂ…回動軸、Ｓ…センサー
【図１】
0006720542.tif 000002
【図２】
0006720542.tif 000003
【図３】
0006720542.tif 000004
【図４】
0006720542.tif 000005
【図５】
0006720542.tif 000006
【図６】
0006720542.tif 000007
【図７】
0006720542.tif 000008
【図８】
0006720542.tif 000009
【図９】
0006720542.tif 000010
【図１０】
0006720542.tif 000011
【図１１】
0006720542.tif 000012
【図１２】
0006720542.tif 000013
【図１３】
0006720542.tif 000014
【図１４】
0006720542.tif 000015